(57)【要約】【課題】着せ替えパネルの種類に応じてＬＥＤの発光パターンを制御することにより、着せ替えパネル自体のデザインと合わせてＬＥＤの発光による装飾性の向上を行うことができる携帯端末を提供する。【解決手段】携帯端末の着せ替え用の各パネル５０は、透光部５１と遮光部５２のあるデザインである。携帯端末の本体側の発光部２４は、発光エリアを３×５＝１５のエリアに分けて、ＬＥＤ１〜１５が個々のエリアに配置されている。各パネル５０には、パネルＩＤおよびそのパネルの透光部５１に重なるＬＥＤの発光を行う発光データが記録されたＱＲコードが印刷または貼り付けられている。ユーザが、携帯端末のカメラでパネルＩＤ＝１のパネルのＱＲコードを撮影すると、携帯端末は、ＱＲコードに記録されている発光データに基づき、発光部２４のＬＥＤ３、５、６、８、９、１０、１１、１３、１４を発光させ、他のＬＥＤは発光させない。【選択図】図２
2008236401.tif 000002
【特許請求の範囲】
【請求項１】
着せ替え可能なパネルと当該パネルを装着する本体部とを有する携帯端末であって、
前記パネルは、
当該パネルを照明する発光パターンに対応するデータを記憶するデータ記憶部を有し、
前記本体部は、
前記パネルを照明する発光手段と、
前記データ記憶部から前記データを読み取るデータ読取手段と、
前記データ読取手段により読み取った前記データに対応する発光パターンで前記発光手段を発光させる制御手段とを
具備することを特徴とする携帯端末。
【請求項２】
着せ替え可能なパネルと当該パネルを装着する本体部とを有する携帯端末であって、
前記パネルは、
当該パネルのＩＤに対応するデータを記憶するデータ記憶部を有し、
前記本体部は、
前記パネルを照明する発光手段と、
前記データ記憶部から前記データを入力又は読み取るデータ読取手段と、
前記パネルのＩＤ毎に当該パネルを照明する発光パターンデータを記憶する発光パターン記憶手段と、
前記データ読取手段で認知した前記データに対応するＩＤに該当する前記発光パターン記憶手段の発光パターンデータで前記発光手段を発光させる制御手段とを
具備することを特徴とする携帯端末。
【請求項３】
前記パネルは、更に、透光部と遮光部を有するパネル面を有し、
前記本体部の発光手段は、前記パネル面の透光部と遮光部に対応する位置に配置された複数の発光素子を有し、
前記発光パターンは、前記透光部に対応する発光素子を発光させる発光パターンであることを特徴とする請求項１又は２に記載の携帯端末。
【請求項４】
前記発光パターンは、
前記透光部に対応する発光素子を時系列に発光させる発光パターンであることを特徴とする請求項３に記載の携帯端末。
【請求項５】
着せ替え可能なパネルと当該パネルを装着する本体部とを有する携帯端末であって、
前記パネルは、
当該パネルのＩＤおよびインターネットＵＲＬに対応するデータを記憶するデータ記憶部を有し、
前記本体部は、
前記パネルを照明する発光手段と、
前記データ記憶部から前記データを読み取るデータ読取手段と、
前記データ読取手段により読み取った前記データに対応するインターネットＵＲＬに接続して前記データに対応するＩＤのパネルを照明する発光パターンに対応する発光データをインターネット網から受信し、当該発光データに対応する発光パターンで前記発光手段を発光させる制御手段とを
具備することを特徴とする携帯端末。
【請求項６】
着せ替え可能なパネルと当該パネルを装着する本体部とを有する携帯端末用のパネルであって、
当該パネルを照明する前記本体部の発光パターンに対応するデータを記憶するデータ記憶部を備えることを特徴とするパネル。
【発明の詳細な説明】
【技術分野】
【０００１】
本発明は、着せ替えパネルとその照明用ＬＥＤを備えた携帯端末およびパネルに関する。
【背景技術】
【０００２】
着脱自在な化粧パネルと発光手段が設けられた携帯電話機がある（例えば、特許文献１参照。）。この携帯電話機では、携帯電話機の本体３の外側面に化粧パネル１４を着脱自在に組み付ける。この本体３には発光素子１８を有する着信表示部１７がある。また、化粧パネル１４は、この着信表示部１７に対応する部位に、抜きパターンまたは透光部として形成される表示パターン３３を有する。
【０００３】
そして、携帯電話機に着信があると、着信表示部１７が発光し、化粧パネル１４の表示パターン３３を透過することにより、表示パターン３３の形状に応じた発光表示が行われる。この化粧パネル１４は、表示パターン３３の形状が異なる複数種類が用意されており、ユーザは、化粧パネル１４を取り替えることにより、好みの着信表示が選べるものである。
【特許文献１】特開２００２−１２５０１６号公報（段落番号００５０〜００５１、図６、図７）
【発明の開示】
【発明が解決しようとする課題】
【０００４】
特許文献１の携帯電話機では、本体側の着信表示部１７と化粧パネル１４の抜きパターンまたは透光部として形成される表示パターン３３は、ほぼ同じ部位に対応している。そして、着信表示の種類は、化粧パネル１４の表示パターン３３の形状の種類のみによるものであり、化粧パネル１４の種類に応じて、着信表示部１７の発光の仕方を制御するというものではない。
【０００５】
本発明は、着せ替えパネルの照明用のＬＥＤを備え、着せ替えパネルの種類に応じてＬＥＤの発光パターンを制御することにより、着せ替えパネル自体のデザインと合わせてＬＥＤの発光による装飾性の向上を行うことができる携帯端末およびパネルを提供することを目的とする。
【課題を解決するための手段】
【０００６】
上記目的を達成するために、本発明の携帯端末は、着せ替え可能なパネルと当該パネルを装着する本体部とを有する携帯端末であって、前記パネルは、当該パネルを照明する発光パターンに対応するデータを記憶するデータ記憶部を有し、前記本体部は、前記パネルを照明する発光手段と、前記データ記憶部から前記データを読み取るデータ読取手段と、前記データ読取手段により読み取った前記データに対応する発光パターンで前記発光手段を発光させる制御手段とを具備することを特徴とする。
【発明の効果】
【０００７】
本発明によれば、着せ替えパネル自体のデザインに合わせてＬＥＤの発光による装飾性の向上をユーザの簡単な操作で行うことが可能となる。
【発明を実施するための最良の形態】
【０００８】
以下、本発明の実施例を、図面を参照して説明する。
【実施例】
【０００９】
図１は、本発明の実施例に係る携帯端末の外観図である。携帯端末が折り畳まれた状態を示している。  
携帯端末１００は、本体２０と、本体２０に着脱自在に取り付けられる着せ替え用のパネル５０を備える。  
本体２０は、上筐体２１と下筐体２２がヒンジ２３により回動自在に係合している。上筐体２１には、パネル５０を照明するための発光部２４を備える。この発光部２４に合わせて、パネル５０が装着される。発光部２４は、複数のＬＥＤ１〜１５を備え、パネル５０のほぼ全面を照明できるように、複数のエリアに分割されてＬＥＤ１〜１５が配置される。
【００１０】
パネル５０は、様々なデザインのパネルがユーザに供給可能になっている。この図示した例では、発光部２４からの光を透過する透光部５１と、光を透過しない遮光部５２の構造であり、透光部５１は、カミナリをイメージしたデザインである。遮光部５２は、図示しない様々な模様などが印刷されていてもよい。なお、透光部５１は、完全な透明であってもよいし、半透明であってもよい。また、遮光部５２は、完全に光を遮光するものでなくてもよい。また、図示しないが、パネル５０の透光部５１と遮光部５２の表面にさらに半透光性の印刷を施すことで、外観からは透光部５１と遮光部５２の見分けがつかないようにしてもよい。
【００１１】
パネル５０の裏側には、２次元コードであるＱＲコード５３が印刷またはシール等で貼り付けられている。ＱＲコード５３には、予め、パネルＩＤ番号がコードパターンとして記録されている。また、ＱＲコード５３には、予め、パネル毎に、本体２０の発光部２４をどのように点灯するかの点灯パターンがコードパターンとして記録されている。ＱＲコードに色々なデータを記憶させることはよく知られているので、コードパターンの詳細については、説明を省略する。
【００１２】
図２は、本発明の実施例に係る携帯端末のパネルと発光部の位置関係を説明する図である。  
（Ａ）は、パネル５０を表側から見た図であり、例として２種類のパネルを図示する。パネル５０は、様々なデザインのパネルがユーザに供給可能になっている。この例では、２種類について説明する。パネルＩＤ＝１のパネルは、雷をモチーフにしたパネルであり、透光部５１が雷のイメージのデザインである。パネルＩＤ＝２のパネルは、四角い透光部５１があるパネルであり、遮光部５２は、例えば、革張りのデザインである。
【００１３】
（Ｂ）は、発光部２４の構造図である。発光部２４のエリアは、パネル５０のエリアにほぼ一致しており、そのエリアを３×５＝１５個のエリアに分けて、ＬＥＤ１〜１５が個々のエリアに配置されている。
【００１４】
Ａ−Ａ方向の断面図に示すように、印刷基板２４ｃにＬＥＤ１〜１５が取り付けられ、その上に、光散乱部２４ａがある。光散乱部２４ａは、遮光壁２４ｂにより仕切られて、１５個のエリアが独立して点灯可能である。
【００１５】
（Ｃ）は、発光部２４に、パネルＩＤ＝１のパネル５０を装着した時の図である。パネルＩＤ＝１の透光部５１に重なるＬＥＤは、ＬＥＤ３、５、６、８、９、１０、１１、１３、１４であり、これらのＬＥＤを点灯した時の発光状態は、下側の図のようにユーザに認識される。
【００１６】
図３は、本発明の実施例に係る携帯端末のブロック図である。携帯端末１００は、本体２０と、本体２０に着脱自在に取り付けられる着せ替え用のパネル５０を備える。本体２０は、発光部２４、カメラ２５、入力部２６、表示部２７、アンテナ２８、通信部２９、ＬＥＤドライブ回路３０、画像処理部３１、ＮＡＮＤ３２、制御部３３などにより構成される。
【００１７】
発光部２４は、図２で説明したので詳細は省略する。カメラ２５は、ＣＣＤなどによる画像撮影を行う。特に、本発明では、パネル５０のＱＲコード５３を撮影する。入力部２６は、各種キー操作用の入力手段である。表示部２７は、各種表示出力用であり、ＬＣＤなどで構成される。
【００１８】
アンテナ２８は、基地局（図示せず）との間で電波の送受信を行う。通信部２９は、無線信号の送信受信、増幅、変調復調などの処理を行う。アンテナ２８および通信部２９は、基地局を経由してインターネット接続などにも使われる。
【００１９】
ＬＥＤドライブ回路３０は、発光部２４を駆動する。画像処理部３１は、カメラ２５が撮影したＱＲコード５３のパターン認識を行い、解読する。ＮＡＮＤ３２は、補助記憶メモリであり、不揮発性のＮＡＮＤフラッシュメモリを使用する。ＮＡＮＤ１５には、動作プログラムやその他の情報が記憶される。  
制御部３３は、ＣＰＵ、コントローラ、ＲＡＭなどを有して、他の構成要素部分を制御し、携帯端末１００の主な機能を実行する。
【００２０】
ユーザは、パネル５０を装着する場合、まず、装着前に、携帯端末１００を起動し、パネル５０の裏面のＱＲコード５３をカメラ２５で撮影する。このＱＲコード５３の撮影画像は、制御部３３、画像処理部３１により、パターン認識が行われて、データに変換され、ＮＡＮＤ３２に記憶される。
【００２１】
パネル５０には、ＱＲコード５３が印刷または貼り付けられている。ＱＲコード５３のデータ構成について、次に説明する。  
図４は、本発明の実施例に係る携帯端末のＱＲコードのデータ構成を説明する図である。パネルＩＤ＝１のカミナリのイメージ（図２）のＱＲコードのデータ構成である。  
（Ａ）は、発光パターンの概念図であり、パネルＩＤ＝１、すなわち、図２のカミナリのイメージのパネルの場合である。このカミナリの透光部５１に重なるＬＥＤは、ＬＥＤ３、５、６、８、９、１０、１１、１３、１４である。このＬＥＤの点灯方法として、全て同時に点灯するのではなく、ＬＥＤ３から順にＬＥＤ１４の方向へ向けて時系列に点灯することにより、カミナリのイメージが更に明確になる。
【００２２】
（Ｂ）は、このカミナリのイメージで時系列で点灯する点灯パターンを記憶したＱＲコードのデータ構成図であり、ＱＲコードを読み取って解読した後のデータとして説明する。このデータは、ＱＲコードを読み取って解読した後に、ＮＡＮＤ３２に記憶される。
【００２３】
パネルＩＤ番号（符号６１）は、パネルの種別を表す番号であり、例えば「１」である。発光パターン名（符号６２）は、例えば「カミナリ」である。切り換え時間（符号６３）は、ＬＥＤを時系列に点灯する周期であり、例えば、「０．５秒」毎に点灯パターンが変化する。変化状態数（符号６４）は、点灯パターンの数を表し、例えば、「９状態」であり、１つ１つの状態が「０．５秒」毎に切り替わる。
【００２４】
この９状態の点灯パターンとして、状態１から状態９までの発光データを記憶している。状態１の発光データ（符号６５）は、ＬＥＤが全て消灯状態である。状態２の発光データ（符号６６）は、ＬＥＤ３点灯である。状態３の発光データ（符号６７）は、ＬＥＤ３と５の点灯である。状態４（符号６８）の発光データは、ＬＥＤ５と６の点灯である。状態５の発光データ（符号６９）は、ＬＥＤ６と９の点灯である。状態６の発光データ（符号７０）は、ＬＥＤ８、９、１１の点灯である。状態７の発光データ（符号７１）は、ＬＥＤ１１と１３の点灯である。状態８の発光データ（符号７２）は、ＬＥＤ１０、１３、１４の点灯である。状態９の発光データ（符号７３）は、ＬＥＤが全て消灯状態である。
【００２５】
（Ｃ）は、発光データの具体的なデータの例であり、状態６（符号７０）の場合について説明する。ＬＥＤ１〜１５のＮｏ．毎に点灯（１）か消灯（０）かのデータが記憶される。状態６では、ＬＥＤ８、９、１１が点灯（１）、それ以外が消灯（０）として記憶される。ヘキサデータとしては、「０５８０Ｈ」となる。
【００２６】
なお、ＬＥＤ３、５、６、８、９、１０、１１、１３、１４を全て同時に点灯しっぱなしとしてもよい。その場合は、符号６４の変化状態数＝「１」、符号６５の状態１の発光データ＝「ＬＥＤ３、５、６、８、９、１０、１１、１３、１４点灯」とすればよい。
【００２７】
また、パネルＩＤ＝２の四角い透光部があるパネル（図２）の場合は、透光部に重なるＬＥＤは、ＬＥＤ２のみなので、ＬＥＤ２のみを点滅する発光データが考えられる。その場合、符号６３の切り換え時間＝「０．５秒」、符号６４の変化状態数＝「２」、符号６５の状態１の発光データ＝「ＬＥＤ消灯」、符号６６の状態２の発光データ＝「ＬＥＤ２点灯」とすればよい。
【００２８】
パネルＩＤ＝１のパネルのＱＲコードのデータ（図４）に基づいて行うパネル照明の制御について、次に説明する。  
図５は、本発明の実施例に係る携帯端末の制御部のパネル照明に関するフローチャートである。  
ユーザは、パネルを装着する場合、まず、装着前に、携帯端末を起動し、パネルのＱＲコードをカメラで撮影する。制御部３３は、カメラ撮影処理を行う（ステップＳ１）。そして、その画像のパターン認識処理を行う（ステップＳ２）。それが、パネルのＱＲコードであれば、その発光データをＮＡＮＤ３２に記録する（ステップＳ３）。ここまでは、撮影に関する処理である。
【００２９】
この後、ユーザは、パネルを本体に装着する。制御部３３は、ＮＡＮＤ３２に記憶された発光パターンのデータ（図４の（Ｂ））を制御部３３内部のＲＡＭにロードし、ＲＡＭ上での制御の準備を行う（ステップＳ１１）。そして、点灯パターンの状態Ｎｏ．を記憶するカウンタの値ｎを「１」にイニシャライズする（ステップＳ１２）。
【００３０】
そして、ｎの値の状態の発光データ、すなわち最初は「１」であり、状態１の発光データ（図４の符号６５）に基づいて、ＬＥＤドライブ回路３０により、発光部２４を点灯する（ステップＳ１３）。状態１の発光データは「全て消灯」であり、消灯状態となる。そして、切り換え時間「０．５秒」（図４の符号６３）の経過チェックを行う（ステップＳ１４）。
【００３１】
「０．５秒」経過後に、カウンタの値ｎが変化状態数（図４の符号６４）の「９」になったかをチェックし(ステップＳ１５)、「９」未満であれば、カウンタの値ｎを１個インクリメントする（ステップＳ１６）。そして、ステップＳ１３に戻り、カウンタの値ｎ＝２、すなわち状態２の発光データ（図４の符号６６）に基づき、ＬＥＤ３を点灯する。
【００３２】
以上を、ｎ＝「９」まで繰り返すことで、発光パターンが状態１から状態９まで切り替わり、点灯位置が上部のＬＥＤ３から順次、下部のＬＥＤ１４の方向へ移動しながら点灯することになる。そして、ステップＳ１５で、カウンタの値ｎが「９」になれば、再度、カウンタの値ｎを「１」にイニシャライズし（ステップＳ１７）、更に繰り返すことになる。
【００３３】
以上説明したように、本発明の実施例によれば、ユーザは、着せ替えパネルのＱＲコードを携帯端末のカメラで撮影するという簡単な操作のみを行えば、着せ替えパネルの透光部のデザインに合わせたパネル照明が行われ、より装飾性の高いパネルとすることができる。透光部に対応するＬＥＤのみ点灯し、他のＬＥＤを消灯しているので省電力にもなる。
【００３４】
なお、以上の実施例では、パネルのＱＲコードにパネルＩＤと発光データが記録してあったが、パネルのＱＲコードにパネルＩＤのみの記録としてもよい。その場合、パネルＩＤ毎の発光データが、予めＮＡＮＤに記録しておく仕様としてもよい。そして、カメラでパネルのＱＲコードのパネルＩＤを読み取り、ＮＡＮＤのそのパネルＩＤの発光データでパネル照明を行ってもよい。
【００３５】
また、パネルのＱＲコードにパネルＩＤとＷｅｂのＵＲＬ情報を記録するようにしてもよい。その場合、カメラでパネルのＱＲコードを読み取り、そのＵＲＬに接続すると、該当のパネルＩＤの発光データがＷｅｂから入手できるようにしてもよい。
【００３６】
また、パネルにＱＲコードを設けずに、ユーザが目で直接認識できるパネル番号を記載してもよい。その場合、ユーザは、パネル照明のアプリケーションを起動して、パネル番号をキーから入力するようにしてもよい。発光データは、予めＮＡＮＤに記録されていても良いし、Ｗｅｂから入手してもよい。  
また、パネルにＲＦＩＤ用のＩＣタグを備え、ＩＣタグにパネルＩＤや発光パターンを記憶し、それを本体側に備えたリーダーで読み取る構成としてもよい。
【００３７】
また、発光部２４は、ＬＥＤ１〜１５を設けたが、ＬＥＤ１〜１５それぞれがＲＧＢ３色の発光素子とし、ＱＲコードのデータ構成をカラー対応の発光データとしてもよい。  
いずれの例でも、ユーザは、簡単な操作で、着せ替えパネルの透光部のデザインに合わせたパネル照明が行われ、より装飾性の高いパネルとすることができる。
【００３８】
また、発光データの記録されていないＱＲコードを読み取って、ランダムな発光データを作成してもよい。また、カメラが撮影したＱＲコード以外の撮影データ、壁紙等の画像データから、色分析、各色情報量、各色連続性等、画像の形状を解析し、色、調光などの発光データに変換してもよい。  
なお、携帯端末として、携帯電話機、ＰＨＳ、ＰＤＡ、ゲーム機等に適用することができる。
【図面の簡単な説明】
【００３９】
【図１】本発明の実施例に係る携帯端末の外観図。
【図２】本発明の実施例に係る携帯端末のパネルと発光部の位置関係を説明する図。
【図３】本発明の実施例に係る携帯端末のブロック図。
【図４】本発明の実施例に係る携帯端末のＱＲコードのデータ構成を説明する図。
【図５】本発明の実施例に係る携帯端末の制御部のパネル照明に関するフローチャート。
【符号の説明】
【００４０】
１〜１５  ＬＥＤ
２０  本体
２１  上筐体
２２  下筐体
２３  ヒンジ
２４  発光部
２４ａ  光散乱部
２４ｂ  遮光壁
２４ｃ  印刷基板
２５  カメラ
２６  入力部
２７  表示部
２８  アンテナ
２９  通信部
３０  ＬＥＤドライブ回路
３１  画像処理部
３２  ＮＡＮＤ
３３  制御部
５０  パネル
５１  透光部
５２  遮光部
５３  ＱＲコード
１００  携帯端末
【図１】
2008236401.tif 000003
【図２】
2008236401.tif 000004
【図３】
2008236401.tif 000005
【図４】
2008236401.tif 000006
【図５】
2008236401.tif 000007